(57)【要約】【課題】ＡＣアダプタにおいて、小型化及び組み立ての容易化を図ることを課題とする。【解決手段】予め組み立てられた状態にあるスイッチングレギュレータ回路組立体３０が、ケース２１の内部に組み込んである構成である。スイッチングレギュレータ回路組立体３０は、第１の回路基板４１に電子部品が実装してある第１の回路基板組立体４０と、第２の回路基板５１に電子部品が実装してある第２の回路基板組立体５０と、電子部品を囲う電子部品囲い部を有するインシュレータ部材６０とよりなり、第１の回路基板組立体４０と第２の回路基板組立体５０とがインシュレータ部材６０を間に挟んで固定されてなり、且つ、電子部品が電子部品囲い部６７，６８，７０内に収まった状態にある構成である。【選択図】図１
2008061399.tif 000002
【特許請求の範囲】
【請求項１】
組み立てられた状態にあるスイッチングレギュレータ回路組立体が、ケースの内部に組み込んである構成であり、
前記スイッチングレギュレータ回路組立体が、
夫々回路基板に電子部品が実装してある複数の回路基板組立体と、
電子部品を囲う電子部品囲い部を有する形状のインシュレータ部材とよりなり、
前記複数の回路基板組立体が前記インシュレータ部材を間に挟んで固定されてなり、且つ、前記回路基板組立体の電子部品が前記電子部品囲い部内に収まった状態にある構成としたことを特徴とするＡＣアダプタ。
【請求項２】
組み立てられた状態にあるスイッチングレギュレータ回路組立体が、ケースの内部に組み込んである構成であり、
前記スイッチングレギュレータ回路組立体が、
第１の回路基板に電子部品が実装してある第１の回路基板組立体と、
第２の回路基板に電子部品が実装してある第２の回路基板組立体と、
電子部品を囲う電子部品囲い部を有するインシュレータ部材とよりなり、
前記第１の回路基板組立体と前記第２の回路基板組立体とが前記インシュレータ部材を間に挟んで固定されてなり、且つ、前記第１、第２の回路基板組立体の電子部品が前記電子部品囲い部内に収まった状態にある構成としたことを特徴とするＡＣアダプタ。
【請求項３】
請求項２に記載のＡＣアダプタにおいて、
前記インシュレータ部材は、前記電子部品囲い部を、一側と、これとは反対側とに有する構成としたことを特徴とするＡＣアダプタ。
【請求項４】
請求項２に記載のＡＣアダプタにおいて、
前記インシュレータ部材は、一側に、前記第１の回路基板に嵌合して固定される第１の回路基板用固定部を有し、反対側に、前記第２の回路基板に嵌合して固定される第２の回路基板用固定部を有し、
前記スイッチングレギュレータ回路組立体は、前記第１の回路基板組立体の前記第１の回路基板が前記インシュレータ部材の前記第１の回路基板用固定部に嵌合して固定され、前記第２の回路基板組立体の前記第２の回路基板が前記インシュレータ部材の前記第２の回路基板用固定部に嵌合して固定された構成としたことを特徴とするＡＣアダプタ。
【請求項５】
請求項２に記載のＡＣアダプタにおいて、
前記インシュレータ部材は、電気絶縁性であり、合成樹脂の成形部品であり、略立方体形状であり、天板部と側板部とを有し、且つ、前記側板部の端に脚部を有し、且つ、前記天板部に突起部を有する構成であり、
前記第１の回路基板は切り欠き部を有し、
前記第１の回路基板は穴を有し、
前記スイッチングレギュレータ回路組立体は、前記第１の回路基板組立体の前記第１の回路基板の前記切り欠き部が前記インシュレータ部材の前記脚部に嵌合して固定され、前記第２の回路基板組立体の前記第２の回路基板の前記穴が前記インシュレータ部材の前記突起部に嵌合して固定された構成としたことを特徴とするＡＣアダプタ。
【請求項６】
請求項１又は請求項２に記載のＡＣアダプタにおいて、
前記ケースはその内側面に係止部を有し、
前記スイッチングレギュレータ回路組立体が、前記係止部によって係止されて前記前記ケース内に固定された構成としたことを特徴とするＡＣアダプタ。
【請求項７】
請求項１又は請求項２に記載のＡＣアダプタにおいて、
前記回路基板は、絶縁のためのスリットを有する構成としたことを特徴とするＡＣアダプタ。
【発明の詳細な説明】
【技術分野】
【０００１】
本発明はＡＣアダプタに係り、携帯機器の充電等に使用される小型のＡＣアダプタに関する。
【背景技術】
【０００２】
従来のＡＣアダプタは合成樹脂製のケース内にスイッチングレギュレータ回路組立体が組み込んである構成である。このＡＣアダプタにおいては、小型化が求められている。
【０００３】
小型化を図ったＡＣアダプタの一例は、スイッチングレギュレータ回路組立体を、第１の回路基板組立体と第２の回路基板組立体と二つに分割して、両者を電気ケーブルによって接続し、第１の回路基板組立体がケース内に組み込んであり、第２の回路基板組立体をケース内に組み込んであり、第１の回路基板組立体の電子部品と第２の回路基板組立体の電子部品とが向かい合う位置関係にあり、板状のインシュレータ部材がケース内に組み込んであって向かい合う電子部品の間に位置して仕切っている構成である。このＡＣアダプタは、スイッチングレギュレータ回路組立体が一枚の大きい回路基板よりなる構成である従来のＡＣアダプタに比較して、小型化が図られている。
【特許文献１】特開２００２−１９１１７７号公報
【発明の開示】
【発明が解決しようとする課題】
【０００４】
しかし、ＡＣアダプタは、第１の回路基板組立体のケース内のうち右側に取り付け、第２の回路基板組立体のケース内のうち左側に取り付け、インシュレータ部材をケース内のうち中央に第１の回路基板組立体と第２の回路基板組立体との間を仕切るように取り付けた構成であり、第１の回路基板組立体、第２の回路基板組立体、インシュレータ部材を別々にケースに固定する作業が必要となり、ＡＣアダプタの組み立て性がよくなかった。
【０００５】
また、第１の回路基板組立体、第２の回路基板組立体、インシュレータ部材が共にケースに対して固定される構成であるので、組み立て作業等を考慮して、第１の回路基板組立体とインシュレータ部材との間、及び第２の回路基板組立体とインシュレータ部材との間には若干の隙間が存在しており、ＡＣアダプタは十分に小型であるとはいえない状態であった。
【０００６】
そこで、本発明は、上記課題を解決したＡＣアダプタを提供することを目的とする。
【課題を解決するための手段】
【０００７】
本発明は、組み立てられた状態にあるスイッチングレギュレータ回路組立体（３０）が、ケース（２１）の内部に組み込んである構成であり、
前記スイッチングレギュレータ回路組立体（３０）が、
夫々回路基板に電子部品が実装してある複数の回路基板組立体（４０，５０）と、
電子部品を囲う電子部品囲い部を有する形状のインシュレータ部材（６０）とよりなり、前記複数の回路基板組立体（４０，５０）が前記インシュレータ部材（６０）を間に挟んで固定されてなり、且つ、前記回路基板組立体の電子部品が前記電子部品囲い部（６７，６８，７０）内に収まった状態にある構成としたことを特徴とする。
【０００８】
なお、上記参照符号はあくまでも参考であり、これによって、特許請求の範囲が限定されるものではない。
【発明の効果】
【０００９】
本発明によれば、複数の回路基板組立体がインシュレータ部材に固定された構成であるため、スイッチングレギュレータ回路組立体を組み立て作業性良くしかも小型に構成出来、また、このスイッチングレギュレータ回路組立体がケースの内部に組み込んである構成であるため、ＡＣアダプタを小型に構成出来、しかも、ＡＣアダプタを組み立て作業がし易い構造に出来る。
【発明を実施するための最良の形態】
【００１０】
次に本発明の実施の形態について説明する。
【実施例１】
【００１１】
図１は本発明の１実施例になるＡＣアダプタ２０を分解して示す斜視図である。図２はＡＣアダプタ２０の断面図、図３はＡＣアダプタ２０を分解して示す図、図４は図１のスイッチングレギュレータ回路組立体３０を線IV-IVを含むＸ−Ｚ面で断面して示す図、図５はスイッチングレギュレータ回路組立体２０の回路図である。
【００１２】
ＡＣアダプタ２０は、予め組み立てられた略立方体形状のスイッチングレギュレータ回路組立体３０がケース２１の内部に収容してある構成である。Ｘ１−Ｘ２は幅方向、Ｙ１−Ｙ２は奥行き方向、Ｚ１−Ｚ２は高さ方向である。
【００１３】
スイッチングレギュレータ回路組立体３０は、インシュレータ部材６０を含む構造であり、第１の回路基板組立体４０と第２の回路基板組立体５０とがインシュレータ部材６０を間に挟んで組み合わされた構造である。
【００１４】
ケース２１は、ケース半体２２、２３が組み合わされた構成である。ケース半体２２の内側には、スイッチングレギュレータ回路組立体３０を位置決めするための係止部２２ａ，２２ｂが形成してあり、ケース半体２３の内側には、同じくスイッチングレギュレータ回路組立体３０を位置決めするための係止部２３ａ〜２３ｄ及び穴２３ｆを有する穴付き突起２３ｅを有する。
【００１５】
［第１の回路基板組立体４０の構成］
第１の回路基板組立体４０は、図６（Ａ）乃至（Ｃ）に示すように、第１の回路基板４１（面４２，４３を有する）の一つの面４２上のうち、Ｚ２側に、変圧器部材７、フォーミングＩＣ５、カッティングＩＣ６、カッティングコンデンサ８が実装してあり、同じく、面４２上のうち、Ｚ１側に、カッティングコンデンサ１１、コイル１０、カッティングコンデンサ９、及び、出力端子部材であるＵＳＢコネクタ１２が実装してある構成である。図６（Ｂ）に示すように、Ｚ２側には、共に背がＨ１、Ｈ２と低い電子部品（変圧器部材７、フォーミングＩＣ５、カッティングＩＣ６、カッティングコンデンサ８）が配置してあり、Ｚ１側には、共に背がＨ３と高い電子部品（カッティングコンデンサ１１、コイル１０、カッティングコンデンサ９、ＵＳＢコネクタ１２が配置してある。８０は電線であり、第１の回路基板４１の面４２上のうち、Ｚ２側の縁の近くから延在している。
【００１６】
第１の回路基板４１には、略中央に、Ｙ１−Ｙ２方向に延びるシールド用のスリット４５が形成してある。また、第１の回路基板４１には、インシュレータ部材６０の脚部が嵌合するための切り欠き部４６，４７が形成してある。
【００１７】
［第２の回路基板組立体５０の構成］
第２の回路基板組立体５０は、図７（Ａ）乃至（Ｄ）に示すように、第２の回路基板５１（面５２，５３を有する）の一つの面５２上のうち、Ｚ２側に、カッティングコンデンサ２、フォーミングフューズ３、フォーミングコンデンサ４が実装してあり、同じく、面４２上のうち、Ｚ１側に、ラインフィルタ１が実装してある。Ｚ２側には、背がＨ１０と高いカッティングコンデンサ２が配置してあり、Ｚ１側には、背がＨ１２と低いラインフィルタ１が配置してある。フォーミングコンデンサ４は、直径がＤ１であり、長さがＬ１と長い形状であるので、横向きにして、且つ、第２の回路基板５１の切り欠き部５４に嵌合させて一部を第２の回路基板５１の面５３側に寸法ａ突き出て実装してあり、背はＨ１１と低い状態にある。前記の電線８０は、カッティングコンデンサ２とフォーミングコンデンサ４との間を通って、第２の回路基板５１の面５２の中央に接続してある。
【００１８】
第２の回路基板５１には、略中央に、インシュレータ部材６０の突起部と嵌合するための穴５５が形成してある。また、第２の回路基板５１は、Ｚ１とＹ２とのコーナ部に、インシュレータ部材６０の円弧リブ部と嵌合するための円弧状縁部５６が形成してある。
【００１９】
第１の回路基板組立体４０と第２の回路基板組立体５０とは、夫々の電子部品が向き合うように対向されるときに、第１の回路基板組立体４０の背の低い電子部品と第２の回路基板組立体５０の背の高い電子部品とが対向し、第１の回路基板組立体４０の背の高い電子部品と第２の回路基板組立体５０の背の低い電子部品とが対向するようになる。
【００２０】
第１の回路基板４１と第２の回路基板５１とは、回路基板組立体が単一である場合に使用されるサイズの回路基板を半分に分割したサイズである。
【００２１】
［インシュレータ部材６０の構成］
図８（Ａ）はインシュレータ部材６０を前方斜め上側から見た斜視図、図８（Ｂ）はインシュレータ部材６０を後方斜め上側から見た斜視図、図９はインシュレータ部材６０を前方斜め下側から見上げて見た状態の斜視図である。図１０（Ａ）乃至（Ｆ）はインシュレータ部材６０の正投象図である。
【００２２】
インシュレータ部材６０は、電気絶縁性であり、合成樹脂の成形部品であり、略立方体形状であり、Ｘ１側の天板部６１、両側の側板部６２，６３、背面板部６４、側板部６２，６３間の仕切り板部６５、Ｙ２側の前面の張り出し板部６６を有し、前面とＸ２側の底面とが開口である構成である。
【００２３】
側板部６２と仕切り板部６５と天板部６１とによって、ＵＳＢコネクタ１２用のＵＳＢコネクタ用囲い部６７が形成してある。また、側板部６３と仕切り板部６５と天板部６１とによって、カッティングコンデンサ１１、コイル１０、カッティングコンデンサ９と一括して囲う囲い部６８が形成してある。囲い部６７と囲い部６８とは隣り合っている。囲い部６８の天板部６１のうち、背面板部６４側の部分は、一段低くなっており、一段低い天板部６９となっており、この天板部６９の上側は、ラインフィルタ１が収まる囲い部７０となっている。即ち、インシュレータ部材６０は、Ｘ２側とＸ１側の両側に、囲い部を有する。
【００２４】
張り出し板部６６は囲い部６７の端よりＺ２側に張り出している。
【００２５】
側板部６３のＸ２側の端と張り出し板部６６のＸ２側の端には、脚部７１，７２が形成してある。
【００２６】
天板部６１は、略中央に、突起部７３を有し、Ｚ１とＹ２とのコーナ部に、円弧リブ部７４を有する。
【００２７】
［スイッチングレギュレータ回路組立体３０の組み立て］
次に、スイッチングレギュレータ回路組立体３０の組み立て等について、図１１を参照して説明する。
【００２８】
スイッチングレギュレータ回路組立体３０は、図１１に示すように、二つの操作で行われる。
【００２９】
第１の回路基板組立体４０と第２の回路基板組立体５０とは、図１１（Ａ）に示すように、電線８０で繋がっており、第２の回路基板組立体５０を折り畳むようにして第１の回路基板組立体４０上に重なるようにことが可能となっている。
【００３０】
第１の操作：第１の回路基板組立体４０に、インシュレータ部材６０を取り付ける。
【００３１】
図１１（Ａ）及び図１２（Ａ）に示すように、ＵＳＢコネクタ１２の入り口部の外側に合成樹脂製の枠部材９０を嵌合させ、インシュレータ部材６０を、その囲い部６７をＵＳＢコネクタ１２に被せ、囲い部６８をカッティングコンデンサ１１、コイル１０、カッティングコンデンサ９に一括して被せ、脚部７１，７２を夫々切り欠き部３６，３７に嵌合させて、第１の回路基板組立体４０に取り付ける。図１１（Ｂ）及び図１２（Ｂ）はインシュレータ部材６０が取り付けられた状態を示す。
【００３２】
第２の操作：第２の回路基板組立体５０を第１の回路基板組立体４０上に重ねる。
【００３３】
図１１（Ｃ）に示すように、第２の回路基板組立体５０を折り畳むようにして第１の回路基板組立体４０上に重なるようにし、インシュレータ部材６０上に載せる。
【００３４】
第２の回路基板５１は、図１３（Ａ），（Ｂ）に示すように、穴５５を突起部７３に嵌合させ、且つ、円弧状縁部５６を円弧リブ部７４の内側に沿わせて位置を決められる。
【００３５】
ラインフィルタ１は囲い部７０に収まる。フォーミングコンデンサ４は変圧器部材７と対向し、カッティングコンデンサ２はフォーミングＩＣ５と対向する。
【００３６】
これによって、図１及び図３に示すスイッチングレギュレータ回路組立体３０が完成する。第１の回路基板４１とインシュレータ部材６０とは密着しており、第２の回路基板５１とインシュレータ部材６０とは密着しており、スイッチングレギュレータ回路組立体３０の寸法Ｈ２０は最も短くなっており、スイッチングレギュレータ回路組立体３０は小型である。
【００３７】
しかも、インシュレータ部材６０によって、ＵＳＢコネクタ１２とカッティングコンデンサ１１、コイル１０、カッティングコンデンサ９との間の沿面距離、ＵＳＢコネクタ１２、カッティングコンデンサ１１、コイル１０、カッティングコンデンサ９と、ラインフィルタ１との間の沿面距離、ＵＳＢコネクタ１２と、カッティングコンデンサ８、フォーミングコンデンサ４、変圧器部材７、カッティングコンデンサ２、フォーミングＩＣ５とのの間の沿面距離は、共に十分な距離となっている。張り出し板部６６は変圧器部材７の方向に延在しており、カッティングコンデンサ８を覆っている。
【００３８】
［ＡＣアダプタ２０の組み立て］
次に、ＡＣアダプタ２０の組み立てについて説明する。
【００３９】
ＡＣアダプタ２０は、スイッチングレギュレータ回路組立体３０をケース半体２２内に収め、ケース半体２３を被せることによって完成する。
【００４０】
図２に示すように、スイッチングレギュレータ回路組立体３０は、ケース半体２２に対しては、第１の回路基板４１の縁を係止部２２ａ，２２ｂによって係止されて、ケース半体２３に対しては、第２の回路基板５１の縁を係止部２３ａ〜２３ｄによって係止されて、且つ、突起部７３の先端を穴付き突起２３ｅの穴２３ｆに嵌合され、第２の回路基板５１のうち穴５５の周囲の部分を穴付き突起２３ｆによって押さえられて、ケース２１内に固定されている。
【００４１】
なお、インシュレータ部材６０をその材料を適宜選択することによって放熱性を備えた構成とすることができる。この場合には、スイッチングレギュレータ回路組立体３０（ＡＣアダプタ２０）は小型であってしかも放熱性の良い構造となる。
【００４２】
なお、インシュレータ部材６０の形状を適宜変更することによって、スイッチングレギュレータ回路組立体を、第１、第２、第３の回路基板組立体がインシュレータ部材に固定された構造とすることも出来る。
【００４３】
また、インシュレータ部材をブロックのように組み合わせる構成とすることも出来る。
【００４４】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【図面の簡単な説明】
【００４５】
【図１】本発明の１実施例になるＡＣアダプタを分解して示す斜視図である。
【図２】ＡＣアダプタの断面図である。
【図３】ＡＣアダプタを分解して示す図である。
【図４】図１のスイッチングレギュレータ回路組立体を線IV-IVを含むＸ−Ｚ面で断面して示す図である。
【図５】スイッチングレギュレータ回路組立体の回路図である。
【図６】第１の回路基板組立体を示す図である。
【図７】第２の回路基板組立体を示す図である。
【図８】インシュレータ部材を示す斜視図である。
【図９】インシュレータ部材を示す斜視図である。
【図１０】インシュレータ部材を示す図である。
【図１１】スイッチングレギュレータ回路組立体の組み立てを説明する図である。
【図１２】インシュレータ部材の第１の回路基板組立体への取り付けを示す図である。
【図１３】インシュレータ部材への第２の回路基板組立体の取り付けを示す図である。
【符号の説明】
【００４６】
１  ラインフィルタ
２  カッティングコンデンサ
３  フォーミングフューズ
４  フォーミングコンデンサ
５  フォーミングＩＣ
６  カッティングＩＣ
７  変圧器部材
８  カッティングコンデンサ
９  カッティングコンデンサ
１０  コイル
１１  カッティングコンデンサ
１２  ＵＳＢコネクタ
２０  ＡＣアダプタ
２１  ケース
２２，２３  ケース半体
３０  スイッチングレギュレータ回路組立体
４０  第１の回路基板組立体
４１  回路基板
４５  スリット
４６，４７  切り欠き部
５０  第２の回路基板組立体
５１  回路基板
５４  切り欠き部
５５  穴
５６  円弧状縁部
６０  インシュレータ部材
６１  天板部
６２，６３  側板部
６４  背面板部
６５  仕切り板部
６６  張り出し板部
６７，６８，７０  囲い部
【図１】
2008061399.tif 000003
【図２】
2008061399.tif 000004
【図３】
2008061399.tif 000005
【図４】
2008061399.tif 000006
【図５】
2008061399.tif 000007
【図６】
2008061399.tif 000008
【図７】
2008061399.tif 000009
【図８】
2008061399.tif 000010
【図９】
2008061399.tif 000011
【図１０】
2008061399.tif 000012
【図１１】
2008061399.tif 000013
【図１２】
2008061399.tif 000014
【図１３】
2008061399.tif 000015